(57)【要約】【課題】複数の取付孔の組を設けることで、複数の部品、複数のサイズの部品に対応することのできる樹脂シャーシベースを提供する。【解決手段】電気基板40を固定し、電気機器の内部に配備された部品に取り付けられる樹脂シャーシベース10であって、複数の部品及び／又は複数のサイズの部品32にネジ止めするための複数組の取付孔20a〜20iを開設したものである。上記樹脂シャーシベースは、該樹脂シャーシベースの何れかの組の取付孔を用いてネジ止めされる。【選択図】図３
2012177857.tif 000002
【特許請求の範囲】
【請求項１】
電気基板を固定し、電気機器の内部に配備された部品に取り付けられる樹脂シャーシベースであって、
複数の部品及び／又は複数のサイズの部品にネジ止めするための複数組の取付孔を開設したことを特徴とする樹脂シャーシベース。
【請求項２】
請求項１に記載の樹脂シャーシベースを、該樹脂シャーシベースの何れかの組の取付孔を用いて本体にネジ止めしたことを特徴とする電気機器。
【請求項３】
請求項１に記載の樹脂シャーシベースを、該樹脂シャーシベースの何れかの組の取付孔を用いて表示パネルにネジ止めしたことを特徴とする表示装置。
【発明の詳細な説明】
【技術分野】
【０００１】
本発明は、電気基板を固定し、薄型液晶表示装置の如き表示装置等の電気機器に配備される樹脂シャーシベースに関するものであり、より具体的には、インチサイズや種類、仕様等の異なる表示パネルに取り付けすることのできる樹脂シャーシベースと、該樹脂シャーシベースを配備した電気機器並びに表示装置に関するものである。
【背景技術】
【０００２】
電気機器では、各種電気基板等を取り付けた樹脂シャーシベースを、電気機器の内部に配備している。樹脂シャーシベースは、電気機器の内部部品や、筺体となるキャビネットにネジ止め等の方法により接合するようにしている。
【０００３】
例えば、特許文献１では、コンデンサ等を取り付ける樹脂シャーシベースの所定位置に係止部を突出するよう一体に成形しており、係止部を内部部品に形成された取付孔に嵌めることで、樹脂シャーシベースの取付けを行なっている。
【先行技術文献】
【特許文献】
【０００４】
【特許文献１】実開平５−１８０１８号公報
【発明の概要】
【発明が解決しようとする課題】
【０００５】
電気機器によって、また、同じ電気機器でも樹脂シャーシベースを取り付ける部品の種類や仕様、そのインチサイズ等の大きさが異なると、樹脂シャーシベースの取付孔の位置が変わることがある。従って、その取付孔の位置に応じた複数種類の樹脂シャーシベースを準備する必要があった。
しかしながら、複数種類の樹脂シャーシベースを成形するには、複数種類の金型が必要であり、生産工場等における部品管理も煩雑となり、コスト増等に繋がる虞がある。
【０００６】
特に、表示装置に関しては、樹脂シャーシベースを筺体となるキャビティに直接取り付けることも考えられるが、内装される表示パネルを横断するよう樹脂シャーシベースを形成する必要があるため、樹脂シャーシベースの大型化に繋がり、部品コストの増大や、部品の重量化をもたらす。
【０００７】
本発明の目的は、複数の取付孔の組を設けることで、複数の部品、複数のサイズの部品に対応することのできる樹脂シャーシベースを提供することである。
【課題を解決するための手段】
【０００８】
上記課題を解決するために、本発明の樹脂シャーシベースは、
電気基板を固定し、電気機器の内部に配備された部品に取り付けられる樹脂シャーシベースであって、
複数の部品及び／又は複数のサイズの部品にネジ止めするための複数組の取付孔を開設したものである。
【０００９】
また、本発明の電気機器、例えば、表示装置は、上記樹脂シャーシベースを、該樹脂シャーシベースの何れかの組の取付孔を用いて本体、例えば、表示パネルにネジ止めしたものである。
【発明の効果】
【００１０】
本発明の樹脂シャーシベースによれば、複数組の取付孔を設けたことで、何れかの組の取付孔を用いて、複数の部品及び／又は複数のサイズの部品にネジ止めすることができ、樹脂シャーシベースの汎用性を高め、共通化を図ることができる。
これにより、樹脂シャーシベースの種類を削減できるから、また、樹脂シャーシベースの成形に必要な金型の種類の削減、さらに、生産工場等における部品管理の容易化を達成でき、樹脂シャーシベースのコスト低減を図ることができる。
【００１１】
また、本発明の樹脂シャーシベースを、何れかの組の取付孔を用いて表示パネルにネジ止めすることで、キャビティに樹脂シャーシベースを取り付けた場合に比して、樹脂シャーシベースの小型化を図ることができ、部品コストの低減や部品の軽量化を達成できる。
【図面の簡単な説明】
【００１２】
【図１】図１は、本発明の実施例に係る樹脂シャーシベースを電気基板取付面側から見た斜視図である。
【図２】図２は、本発明の実施例に係る樹脂シャーシベースを表示パネル取付側面から見た斜視図である。
【図３】図３は、液晶パネルに本発明の樹脂シャーシベースをネジ止めした状態を示す背面図であって、電気基板等の取付前の状態を示している。
【図４】図４は、図３の樹脂シャーシベースに電気基板等を取り付けた状態を示す背面図である。
【図５】図５は、図３の液晶パネルと仕様の異なる液晶パネルに本発明の樹脂シャーシベースをネジ止めした状態を示す背面図であって、電気基板等の取付前の状態を示している。
【図６】図６は、図５の樹脂シャーシベースに電気基板等を取り付けた状態を示す背面図である。
【図７】図７は、図３及び図５とはインチサイズの異なる液晶パネルに本発明の樹脂シャーシベースをネジ止めした状態を示す背面図であって、電気基板等の取付前の状態を示している。
【図８】図８は、図７の樹脂シャーシベースに電気基板等を取り付けた状態を示す背面図である。
【発明を実施するための形態】
【００１３】
以下、本発明の一実施例について、電気機器として表示装置、より具体的には液晶表示装置(30)、電気機器の内部に配備され、樹脂シャーシベース(10)が配備される部品として表示パネル、より具体的には液晶パネル(32)を例示して説明するが、本発明を適用可能な電気機器及びその部品はこれらに限定されるものでないことは勿論である。例えば、電気機器の本体に樹脂シャーシベース(10)を取り付けることも可能である。
【００１４】
図１は、本発明の一実施例である樹脂シャーシベース(10)を基板取付面(12)側から見た斜視図、図２は、同樹脂シャーシベース(10)をパネル取付面(14)から見た斜視図である。
【００１５】
樹脂シャーシベース(10)は、ポリカーボネートやＡＢＳ等の樹脂材料を金型にて成形して構成することができる。樹脂シャーシベース(10)に絶縁性が要求される場合、絶縁性を有する樹脂材料を用いることが好適である。
【００１６】
樹脂シャーシベース(10)は、図１及び図２に示すように、外形略矩形の板状体であり、縦横複数の杆を接続した如き形状を有し、杆どうしの間に複数の貫通開口(16)が形成されている。貫通開口(16)は、樹脂シャーシベース(10)の軽量化や使用される樹脂材料の低減を図るために開設されている。
【００１７】
樹脂シャーシベース(10)は、図１に示すように、後述する液晶パネル(32)にネジ止めするための複数の取付孔(20a)〜(20j)と、電気基板(40)等をネジ止めするための複数の基板用孔(22)、配線(図示せず)を通すための複数の配線用孔(24)が開設されている。
【００１８】
取付孔(20a)〜(20j)と配線用孔(24)は、図２に示すように樹脂シャーシベース(10)を貫通するよう開設されており、基板用孔(22)は、基板取付面(12)側に開口する有底孔とすることができる。なお、基板用孔(22)も樹脂シャーシベース(10)を貫通するよう形成してもよい。
【００１９】
取付孔(20a)〜(20j)は、前述のとおり、樹脂シャーシベース(10)に貫通開設される孔であり、図１及び図２に示すように、間隔を変えて形成される。液晶パネル(32)へ樹脂シャーシベース(10)にネジ止めする際に必要なネジ穴の数を４つとした場合、取付孔は、複数の組み合わせを構成するために少なくとも５つ形成することが望ましい。
【００２０】
具体的実施例として、図１及び図２では、取付孔は、上下５対の取付孔対(20a)(20b)、(20c)(20d)、(20e)(20f)、(20g)(20h)及び(20i)(20j)から構成している。図１の紙面右側(図２の紙面左側)の取付孔対(20a)(20b)は、周囲が基板取付面(12)に対して凸、液晶パネル取付面(14)に対して凹となるように形成されている。また、樹脂シャーシベース(10)の四隅に形成された取付孔対(20c)(20d)及び(20e)(20f)は、周囲が基板取付面(12)に対して凸、液晶パネル取付面(14)に対してフラットとなるように形成されている。さらに、取付孔対(20c)(20d)及び(20e)(20f)よりも中央寄りに取付孔対(20g)(20h)及び(20i)(20j)を、周囲が基板取付面(12)に対して凹、液晶パネル取付面(14)に対して凸となるように形成している。
勿論、これら取付孔は、同じ形状となるように形成してもよい。
【００２１】
上記の如く形成された取付孔(20a)〜(20j)について、液晶パネル(32)に形成されたベース取付穴(36)の位置に合うものを１組選択し、樹脂シャーシベース(10)の取付けに用いることができる。例えば、樹脂シャーシベース(10)の取付けに４箇所でネジ止めする場合には、上記何れかの取付孔(20a)〜(20j)から、ベース取付穴(36)に合う４つを１組として選択することとなる。
【００２２】
基板用孔(22)は、図１に示すように、基板取付面(12)から突設された筒状の台座に開設されている。基板用孔(22)も取り付けられる電気基板(40)等の種々のサイズや種類に対応することができるように、樹脂シャーシベース(10)に複数形成することが望ましい。
【００２３】
配線用孔(24)は、図１及び図２に示すように、樹脂シャーシベース(10)に複数開設されている。
【００２４】
上記構成の樹脂シャーシベース(10)は、図３、図５及び図７に示すように、液晶表示装置(30)の液晶パネル(32)の裏面にネジ止めにより取り付けることができる。
【００２５】
液晶表示装置(30)は、液晶パネル(32)を前キャビネット(38)と後キャビネット(図示せず)により包囲して構成することができ、前キャビネット(38)には、液晶パネル(32)の表示面を視認可能とする窓が形成されている。
【００２６】
液晶パネル(32)として、液晶ディスプレイ、有機ＥＬパネル等を例示でき、その他、薄型プラズマパネルを表示パネルとして用いることもできる。
【００２７】
図３、図５及び図７は、夫々本発明の樹脂シャーシベース(10)の背面側のベース取付面(34)に液晶パネル(32)にネジ止めした状態を示している。より具体的には、図３と図５は、液晶パネル(32)のインチサイズは同じであるが、異なる背面を有するものであり、図７は、図３及び図５の液晶パネル(32)とは異なるインチサイズのものを例示している。
【００２８】
液晶パネル(32)には、背面となるベース取付面(34)にパネル取付面(14)が対向するように樹脂シャーシベース(10)が直接ネジ止めにより取り付けられる。このような構成とすることで、前キャビネット(38)を横断するように樹脂シャーシベースを取り付けた場合に比して、樹脂シャーシベース(10)の小型化を図ることができ、部品コストの低減や部品の軽量化を達成できる。
【００２９】
具体的実施例として、ベース取付面(34)に複数のベース取付穴(36)を形成し、上述した樹脂シャーシベース(10)に開設された取付孔(20a)〜(20j)の何れかの組を選択して、ネジ止め(図示せず)することにより、樹脂シャーシベース(10)を液晶パネル(32)に取り付けることができる。
【００３０】
図３の液晶パネル(32)では、図中符号に矢印を付した組の取付孔(20c)(20d)(20e)(20f)を用いて、樹脂シャーシベース(10)を取り付けている。
【００３１】
図５の液晶パネル(32)では、図中符号に矢印を付した図３とは異なる組の取付孔(20a)(20b)(20e)(20f)を用いて、樹脂シャーシベース(10)を取り付けている。
【００３２】
さらに、図７の液晶パネル(32)では、図中符号に矢印を付したる組の取付孔(20c)(20d)(20e)(20f)を用いて、樹脂シャーシベース(10)を取り付けている。
【００３３】
上記のように、樹脂シャーシベース(10)に複数の取付孔(20a)〜(20j)を形成しておくことで、液晶パネル(32)によって異なるベース取付穴(36)の位置に応じて、別途樹脂シャーシベースを準備することなく、同じ樹脂シャーシベース(10)を採用することができるから、樹脂シャーシベース(10)の種類を削減でき、その成形に用いられる金型の種類も削減できる。その結果、部品管理を容易化でき、また、部品コストを大幅に低減できることができる。
【００３４】
液晶パネル(32)にネジ止めされた樹脂シャーシベース(10)には、図４、図６及び図８に示すように、夫々電気基板(40)等が基板用孔(22)にネジ止めにより取り付けられる。なお、必要に応じて、配線用孔(24)に、電気基板(40)等の接続に必要な配線(図示せず)が通される。
【００３５】
本発明において、先に樹脂シャーシベース(10)を液晶パネル(32)に取り付けた後、電気基板(40)を樹脂シャーシベース(10)に取り付けているのは、電気基板(40)によって取付孔(20a)〜(20j)が隠れてしまうことを防止するためである。
【００３６】
本発明の樹脂シャーシベース(10)では、基板用孔(22)も多数形成しているから、取り付けられる電気基板(40)が異なる場合でも何れかの基板用孔(22)を選択して、電気基板(40)を取り付けることができる。
【００３７】
その他、必要な部品、例えば、スピーカ等を前キャビネット(38)に配置した後、後キャビネットを前キャビネット(38)に係合、ネジ止め等により接合し、液晶表示装置(30)を得ることができる。
【００３８】
なお、樹脂シャーシベース(10)の形状、取付孔の数や配置等は上記実施例に限定されるものでないことは勿論である。
【産業上の利用可能性】
【００３９】
本発明は、複数の部品、複数のサイズの部品に対応することのできる樹脂シャーシベース及びこれを配備した電気機器として有用である。
【符号の説明】
【００４０】
(10)  シャーシベース
(12)  基板取付面
(14)  パネル取付面
(20a)〜(20i)  取付孔
(22)  基板用孔
(24)  配線用孔
(30)  液晶表示装置(電気機器、表示装置)
(32)  液晶パネル(表示パネル)
(36)  ベース取付穴
(38)  前キャビネット
(40)  電気基板
【図１】
2012177857.tif 000003
【図２】
2012177857.tif 000004
【図３】
2012177857.tif 000005
【図４】
2012177857.tif 000006
【図５】
2012177857.tif 000007
【図６】
2012177857.tif 000008
【図７】
2012177857.tif 000009
【図８】
2012177857.tif 000010
【手続補正書】
【提出日】平成23年3月31日(2011.3.31)
【手続補正１】
【補正対象書類名】図面
【補正対象項目名】図１
【補正方法】変更
【補正の内容】
【図１】
2012177857.tif 000011
【手続補正２】
【補正対象書類名】図面
【補正対象項目名】図２
【補正方法】変更
【補正の内容】
【図２】
2012177857.tif 000012